(57)【特許請求の範囲】
【請求項１】
作業装置に取り付けられ、前記作業装置の作動状態を表示する表示灯であって、
前記作業装置から上方に延びる支持棒と、
前記支持棒の上部に取り付けられた表示部と、
前記表示部の上方に取り付けられた振動吸収材と、
下端部の横揺れを防止するとともに、上部は横揺れができるようにして、前記振動吸収材の上部に取り付けられた重りと
を備えていることを特徴とする表示灯。
【請求項２】
前記振動吸収材と前記重りとにそれぞれ上下に貫通する貫通穴を形成して、前記両貫通穴に固定棒を挿入し、前記振動吸収材と前記重りの下端部とを、前記固定棒に組み付けた請求項１に記載の表示灯。
【請求項３】
上面が開口し、下面が閉塞された円筒状に形成された収容部と、収容部の上面に設けられ、中央部に上下に貫通する挿通穴が形成された蓋部からなるカバー部材を、前記表示部の上部に、前記固定棒により前記表示部に対して着脱可能に取り付けて、
前記カバー部材の内部に、前記振動吸収材と前記重りとを収容するとともに、
前記振動吸収材は前記収容部内の底面に配置され、
前記収容部の下面の中央部には、上下に貫通する挿通穴が形成され、
前記カバー部材を、前記表示部の上部に取り付けるに際し、前記蓋部の前記挿入穴、前記重りの前記貫通穴、前記振動吸収材の前記貫通穴、および前記収容部の下面の前記挿通穴に固定棒を挿入するようにした請求項２に記載の表示灯。
【請求項４】
前記重りは下面中央部に凹部が形成され、
前記重りの前記凹部に前記振動吸収材の上端部を入れるようにして、前記重りが前記振動吸収材の上部に配置されている請求項１ないし３のうちのいずれか一つに記載の表示灯。
【請求項５】
前記振動吸収材が、ゴムまたは弾性を有する樹脂材料で構成され、
前記重りが、鉄、鋼または銅で構成されている請求項１ないし４のうちのいずれか一つに記載の表示灯。
【発明の詳細な説明】
【技術分野】
【０００１】
本発明は、作業装置に取り付けられて、作業装置の作動状態を表示する表示灯に関する。
【背景技術】
【０００２】
従来から、例えば、自動生産ラインに配置された電子部品実装装置などの作業装置の中には、点灯する色や点灯方法を変えることにより、作業装置の作動状態が正常であるか異常であるかなどを報知するための表示灯が設置されたものがある（例えば、特許文献１参照）。この表示灯は、作業装置の上面から上方に延びる支持棒と、支持棒の上部に取り付けられた表示部とからなっている。そして、表示部には、緑色を点灯する運転灯、橙色を点灯する警告警報灯および赤色を点灯する異常警報灯が、下から上に向かって順に配置されている。
【先行技術文献】
【特許文献】
【０００３】
【特許文献１】特開平４−３００１３３号公報
【発明の概要】
【０００４】
このような作業装置においては、表示部の点灯を遠くから確認できるようにするために、表示部を支持棒の上部の高い位置に配置している。しかしながら、作業装置の中には振動を発生するものもあり、そのような作業装置に前述した従来の表示灯を設けた場合には、振動によって表示部が揺れ動いて、見えにくくなる。
【０００５】
本発明は、このような問題に対処するためになされたもので、その目的は、作業装置に振動が発生しても表示部に大きな振動が発生することを防止できる表示灯を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る表示灯の構成上の特徴は、作業装置（１０）に取り付けられ、作業装置の作動状態を表示する表示灯（２０）であって、作業装置から上方に延びる支持棒（２１）と、支持棒の上部に取り付けられた表示部（２３）と、表示部の上方に取り付けられた振動吸収材（２８）と、下端部の横揺れを防止するとともに、上部は横揺れができるようにして、振動吸収材の上部に取り付けられた重り（２９）とを備えていることにある。
【０００７】
本発明に係る表示灯には、振動吸収材と重りとが備わっており、この振動吸収材と重りとは、支持棒の上部に取り付けられた表示部の上方に配置されている。このため、作業装置の振動により支持棒が振動した場合には、その振動は振動吸収材によって減衰されて重りに伝わり、重りの重さによって、その振動はさらに有効に減衰されるようになる。このため、表示部には振動が発生しにくくなり、表示部の点灯が見えにくくなるといったことは生じなくなる。また、表示部に振動が生じる場合でも、重りを設けることによって重心が高くなるためその振動はゆっくりとしたもの、すなわち周期の長いものとなり、重りがない場合のように、表示部が小刻みに激しく振動することはない。
【０００８】
また、本発明に係る表示灯の他の構成上の特徴は、振動吸収材と重りとにそれぞれ上下に貫通する貫通穴（２８ａ，２９ｂ）を形成して、両貫通穴に固定棒を挿入し、振動吸収材と重りの下端部とを、固定棒（３１）に組み付けたことにある。本発明によると、振動吸収材と重りとを固定棒を介して組み付けることができるため、表示部側から振動を受けても、振動吸収材と重りとが離れることなく良好な減衰効果を発揮することができる。
【０００９】
また、本発明に係る表示灯のさらに他の構成上の特徴は、上面が開口し、下面が閉塞された円筒状に形成された収容部（２６）と、収容部の上面に設けられ、中央部に上下に貫通する挿通穴（２７ｂ）が形成された蓋部（２７）からなるカバー部材を、表示部の上部に、固定棒により表示部に対して着脱可能に取り付けて、カバー部材の内部に、振動吸収材と重りとを収容するとともに、振動吸収材は収容部内の底面に配置され、収容部の下面の中央部には、上下に貫通する挿通穴（２６ｃ）が形成され、カバー部材を、表示部の上部に取り付けるに際し、蓋部の挿入穴、重りの貫通穴、振動吸収材の貫通穴、および収容部の下面の挿通穴に固定棒を挿入するようにしたことにある。本発明によると、従来からある表示灯の上部に、カバー部材を介して振動吸収材と重りとを取り付けることができる。
【００１０】
また、本発明に係る表示灯のさらに他の構成上の特徴は、重りは下面中央部に凹部（２９ａ）が形成され、重りの凹部に振動吸収材の上端部を入れるようにして、重りが振動吸収材の上部に配置されていることにある。
【００１１】
また、本発明に係る表示灯のさらに他の構成上の特徴は、振動吸収材が、ゴムまたは弾性を有する樹脂材料で構成され、重りが、鉄、鋼または銅で構成されていることにある。振動吸収材を構成する材料としては、ばね部材や発泡樹脂などの弾性を備えたものであれば、種々の材料を使用することができるが、ゴムまたは弾性を有する樹脂材料で構成することがより好ましい。また、重りを構成する材料としては、ある程度比重が大きなものであれば、種々の金属や他の材料を使用することができるが、鉄、鋼または銅を用いることにより、良好な効果を安価で得ることができる。
【図面の簡単な説明】
【００１２】
【図１】本発明の一実施形態に係る表示灯が取り付けられた電子部品実装装置を示した正面図である。
【図２】本発明の一実施形態に係る表示灯を示した斜視図である。
【図３】図１の領域ａ内を拡大して示した断面図である。
【図４】減衰部の内部を示した断面図である。
【図５】表示灯における減衰部の部分を分解した斜視図である。
【発明を実施するための形態】
【００１３】
以下、本発明の一実施形態を図面を用いて説明する。図１は、同実施形態に係る表示灯２０を備えた作業装置としての電子部品実装装置１０を示している。この電子部品実装装置１０は、プリント基板上に、ＩＣチップ等の電子部品を実装するための装置であり、複数の装置からなる自動生産ラインに含まれるものである。電子部品実装装置１０は、駆動装置の作動により移動するヘッドユニットを備えており、外部には、入力操作部１１や表示装置１２などが設置されている。そして、電子部品実装装置１０の上面における左前部に表示灯２０が設置されている。
【００１４】
表示灯２０は、図２に示したように、上下方向に延びる細長い装置からなっており、支持棒２１と、表示部２３と、減衰部２５とで構成されている。支持棒２１は、外径が１．７ｃｍ、内径が１．３ｃｍ、長さが３１ｃｍの鉄製のパイプで構成されており、下部の外周にねじ２１ａ（図１および図３参照）が形成されている。そして、図３（図１の領域ａの断面を示している。）に示したように、支持棒２１は、電子部品実装装置１０の上面部１３に形成された穴部内に、ねじ２１ａが形成された部分を位置させ、上面部１３を挟んで上下に配置されたナット２２ａ，２２ｂをねじ２１ａに螺合させることにより、上面部１３に固定されている。
【００１５】
表示部２３は、外径が５ｃｍで、上下方向の長さが１８ｃｍ（後述する青ランプ２３ｂ、黄ランプ２３ｃおよび赤ランプ２３ｄの上下方向の長さはそれぞれ３ｃｍ）の円柱状に形成されており、軸心を支持棒２１の軸心に合わせて、支持棒２１の上部に取り付けられている。この表示部２３は、支持棒２１に連結された表示部本体２３ａの上方に、青ランプ２３ｂ、黄ランプ２３ｃおよび赤ランプ２３ｄを順に配置した構成をしている。そして、電子部品実装装置１０が正常に作動しているときには、青ランプ２３ｂが点灯し、部品切れや電子部品実装装置１０そのもののトラブル等の異常が発生すると、青ランプ２３ｂが消え、異常の内容に応じて黄ランプ２３ｃや赤ランプ２３ｄが点灯するように表示部２３は構成されている。
【００１６】
なお、青ランプ２３ｂ、黄ランプ２３ｃおよび赤ランプ２３ｄは、それぞれ軸方向が短く上下が閉塞された円筒状のケースと、ケース内に収容された発光部とで構成されており、赤ランプ２３ｄは、図４に示したように、ケース２４と発光部２４ａとで構成されている。そして、ケース２４の外周面における上端部は、他の部分よりも直径が小さくなっており、これによってケース２４の外周面上端には段部２４ｂが形成されている。また、ケース２４の上下面の中央部および黄ランプ２３ｃのケースの上面の中央部には、それぞれ上下に貫通する挿通穴２４ｃ，２４ｄが形成されている。
【００１７】
減衰部２５は、表示部２３と直径が同じ円柱状に形成されており、軸心を表示部２３の軸心に合わせて、表示部２３の上部に取り付けられている。この減衰部２５は、収容部２６と蓋部２７とからなるカバー部材の内部に、振動吸収材２８と重り２９とを収容した構成をしている。収容部２６は、上面が開口し、下面が閉塞された円筒状に形成され、下端外周から下方に向かって、ケース２４の段部２４ｂに係合できる環状の突部２６ａが突出している。そして、収容部２６の外周面における上端部は、他の部分よりも直径が小さくなっており、これによって収容部２６の外周面上端には段部２６ｂが形成されている。また、収容部２６の下面の中央部には、上下に貫通する挿通穴２６ｃが形成されている。
【００１８】
蓋部２７は、肉厚の円板状に形成されており、下端外周から下方に向かって、収容部２６の段部２６ｂに係合できる環状の突部２７ａが突出している。また、蓋部２７の中央部には、上下に貫通し上部が大径で下部が小径になった段違いの挿通穴２７ｂが形成されている。振動吸収材２８は、中央に上下に貫通する貫通穴２８ａが形成されたリング状のゴムからなっており、外径が３ｃｍで、厚みが０．５ｃｍに形成されている。この振動吸収材２８は、貫通穴２８ａを収容部２６の挿通穴２６ｃに合わせて収容部２６内の底面に配置されている。
【００１９】
重り２９は、外径が３．６ｃｍ、内径が１ｃｍ、上下方向の長さが４．８ｃｍで重量が３５０ｇの円筒状の鉄で構成されており、下面の中央部分に大径で浅い凹部２９ａが形成されている。そして、重り２９は、凹部２９ａ内に振動吸収材２８の上端部を入れ、軸心を振動吸収材２８の軸心に合わせて、振動吸収材２８の上部に配置されている。また、重り２９の中心を上下に貫通する貫通穴２９ｂの上下部分は、中央部分よりも大径に形成されており、これによって、貫通穴２９ｂの上下には段部が形成されている。
【００２０】
また、減衰部２５には、前述した各部材の他、図５に示したように、固定棒３１、ワッシャ３２、Ｏリング３３、ワッシャ３４、Ｏリング３５，３６（図４参照）も備わっている。固定棒３１は、頭部３１ａと軸部３１ｂとを備えたねじで構成されており、軸部３１ｂの下部側部分にねじ部が形成されている。この固定棒３１の頭部３１ａの直径は、蓋部２７の挿通穴２７ｂの上部の直径よりも小さく、下部の直径よりは大きく設定され、軸部３１ｂは、蓋部２７の挿通穴２７ｂ、重り２９の貫通穴２９ｂ、振動吸収材２８の貫通穴２８ａ、収容部２６の挿通穴２６ｃおよびケース２４と黄ランプ２３ｃのケースとの挿通穴２４ｃ，２４ｄを挿通できる太さと長さとを備えている。
【００２１】
ワッシャ３２とＯリング３３とは、それぞれ中央に、固定棒３１の軸部３１ｂが挿通できる穴が形成された環状体で構成されており、挿通穴２７ｂの上部に収容できる大きさに形成されている。このワッシャ３２とＯリング３３とは、ワッシャ３２をＯリング３３の上に重ねて、挿通穴２７ｂの上部内に設置される。
【００２２】
ワッシャ３４は、中央に固定棒３１の軸部３１ｂが挿通できる穴が形成された環状体で構成されており、重り２９の貫通穴２９ｂの下部内に設置される。このワッシャ３４の下面は、振動吸収材２８の上面に接しており、これによって、振動吸収材２８の上面中央部分が貫通穴２９ｂの内部に食い込んで、振動吸収材２８が損傷することが防止される。また、ワッシャ３４によって重り２９の下端部は横揺れが生じることが防止される。一方、重り２９の上端面と蓋部２７との間には、僅かな隙間が設けられて、重り２９の上部は横揺れができるようにしている。Ｏリング３５は、収容部２６の外周面上端の段部２６ｂに設置され、Ｏリング３６は、ケース２４の外周面上端の段部２４ｂに設置される。
【００２３】
つぎに、以上の各部材で構成される減衰部２５を、表示部２３の上部に取り付けるときの手順を説明する。この場合、予め、黄ランプ２３ｃのケースの上面部における挿通穴２４ｄの下部側にナット３７を固定しておく。つぎに、Ｏリング３６を、ケース２４の段部２４ｂの外周下部に設置して、段部２４ｂに、収容部２６の突部２６ａを押し付けて嵌合させる。これによって、ケース２４と収容部２６とは境界部分がＯリング３６によってシールされた状態で連結される。ついで、収容部２６の内部底面に、振動吸収材２８を設置し、さらに振動吸収材２８の上面にワッシャ３４を設置する。
【００２４】
そして、振動吸収材２８とワッシャ３４との上面に重り２９を設置する。この場合、重り２９の凹部２９ａ内に振動吸収材２８の上端部が位置し、重り２９の貫通穴２９ｂの下部内にワッシャ３４が位置するようにする。また、振動吸収材２８、ワッシャ３４および重り２９は、それぞれ軸心が収容部２６の軸心と一致するようにしておく。つぎに、Ｏリング３５を、収容部２６の段部２６ｂに設置して、段部２６ｂに、蓋部２７の突部２７ａを押し付けて嵌合させる。これによって、収容部２６は、蓋部２７とＯリング３５とによってシールされた状態で密閉される。
【００２５】
つぎに、Ｏリング３３を蓋部２７の挿通穴２７ｂの上部内に設置し、挿通穴２７ｂの上部内におけるＯリング３３の上に、ワッシャ３２を設置する。そして、固定棒３１の軸部３１ｂを、ワッシャ３２とＯリング３３との穴、蓋部２７の挿通穴２７ｂ、重り２９の貫通穴２９ｂ、ワッシャ３４の穴、振動吸収材２８の貫通穴２８ａ、収容部２６の挿通穴２６ｃおよびケース２４と黄ランプ２３ｃのケースとの挿通穴２４ｃ，２４ｄに挿通させ、軸部３１ｂのねじ部をナット３７に螺合させる。このとき、黄ランプ２３ｃのケースから蓋部２７までの部分にがたつきが生じないほど固定棒３１とナット３７とを締め付ける。これによって、蓋部２７の挿通穴２７ｂはＯリング３３によってシールされ、減衰部２５の表示部２３の上部への取り付けが終了する。
【００２６】
以上のように構成された表示灯２０が取り付けられた電子部品実装装置１０が作動するときには、駆動装置の作動により、ヘッドユニットが、前後、左右、上下に移動するため、電子部品実装装置１０に振動が発生する。しかしながら、表示灯２０には、減衰部２５が備わっているため、電子部品実装装置１０の振動が伝わりにくくなり、振動によって、表示部２３の各ランプの点灯が見えにくくなることはない。また、表示部２３は、電子部品実装装置１０の上面に取り付けられた支持棒２１の上部の高い位置に配置されているため、遠くからでも認識しやすくなる。
【００２７】
このように、本実施形態に係る表示灯２０には、振動吸収材２８と重り２９が備わっており、この振動吸収材２８と重り２９は、支持棒２１の上部に取り付けられた表示部２３の上方に配置されている。このため、電子部品実装装置１０の作動により振動が発生し、支持棒２１が振動した場合でも、その振動は、振動吸収材２８によって減衰されて重り２９に伝わり、重り２９の重さによって、その振動はさらに有効に減衰されるようになる。
【００２８】
また、重り２９を表示灯２０の上部に配置しているため、表示灯２０の重心位置が高くなり、振動が発生したときの周期が長くなる。このため、表示部２３に振動が生じる場合でも、その振動はゆっくりとしたものとなり、重り２９がない場合のように、表示部２３が小刻みに激しく振動することは生じない。なお、電子部品実装装置１０においては、ヘッドユニットは上下よりも前後左右の水平方向に移動することが多く、このため、電子部品実装装置１０には、水平方向への振動発生が多くなる。そして、本実施形態における表示灯２０は、水平方向への振動に対する減衰効果が大きいものであり、電子部品実装装置１０に取り付けることによりその効果は、より大きくなる。
【００２９】
また、振動吸収材２８と重り２９とを固定棒３１を介して組み付けたため、表示部２３側から振動を受けても、振動吸収材２８と重り２９とが離れることなく減衰効果を十分に発揮できるようになる。さらに、表示部２３の上部に、表示部２３に対して着脱可能なカバー部材を取り付けて、カバー部材の内部に、振動吸収材２８と重り２９とを収容しているため、従来からある表示灯の上部に、カバー部材を介して振動吸収材２８と重り２９とを取り付けることができる。また、振動吸収材２８をゴムで構成し、重り２９を、鉄で構成したため、良好な効果を安価で得ることができる。
【００３０】
また、本発明に係る表示灯は、前述した実施形態に限定するものでなく、適宜変更して実施することができる。例えば、前述した各実施形態では、作業装置を、電子部品実装装置１０で構成しているが、この作業装置としては、作動時に振動を発生する装置であればなんでもよい。また、振動吸収材２８を構成する材料としては、ゴムに限らず、他の弾性を備えた材料を用いてもよい。さらに、重り２９を構成する材料としては、鉄に限らず、鋼や銅、その他の金属を用いてもよい。また、本発明に係る表示灯のそれ以外の部分の構成についても、本発明の技術的範囲内で適宜変更することができる。
【符号の説明】
【００３１】
１０…電子部品実装装置、２０…表示灯、２１…支持棒、２３…表示部、２６…収容部、２７…蓋部、２８…振動吸収材、２９…重り、２８ａ，２９ｂ…貫通穴、３１…固定棒。
【図１】
0005636333.tif 000002
【図２】
0005636333.tif 000003
【図３】
0005636333.tif 000004
【図４】
0005636333.tif 000005
【図５】
0005636333.tif 000006